(57)【要約】【課題】情報表示部の周囲に配される装飾部の光を充分拡散して情報表示部の注目度を増すことのできる表示装置を提供する。【解決手段】マトリクス状に配列された第１光源４と第１光源４を覆う第１光源カバー８を有して所望の第１光源４を点灯することにより情報を表示する情報表示部２と、情報表示部２の周囲に配される第２光源５と第２光源５を覆ってダイヤカット加工を施して光を拡散させる第２光源カバー１０とを有する装飾部３とを備え、第１光源４が配列された面から奥側に離れた面内に第２光源５を配置して第１光源カバー８の表面と第１光源４との距離Ｌ１よりも第２光源カバー１０の表面と第２光源５との距離Ｌ２を大きくした。【選択図】      図４
2004294687.tif 000002
【特許請求の範囲】
【請求項１】
マトリクス状に配列された第１光源と第１光源を覆う第１光源カバーを有して所望の第１光源を点灯することにより情報を表示する第１表示部と、第２光源と第２光源を覆って光を拡散させる第２光源カバーとを有して第１表示部の周囲に配される第２表示部とを備え、第１光源カバーの表面と第１光源との距離よりも第２光源カバーの表面と第２光源との距離を大きくしたことを特徴とする表示装置。
【請求項２】
第１光源が配列された面から奥側に離れた面内に第２光源を配置したことを特徴とする請求項１に記載の表示装置。
【請求項３】
第１、第２光源はＬＥＤから成ることを特徴とする請求項１または請求項２に記載の表示装置。
【請求項４】
第１光源が単色から成るとともに第２光源が赤色、青色及び緑色から成ることを特徴とする請求項３に記載の表示装置。
【請求項５】
第２光源カバーにダイヤカット加工を施したことを特徴とする請求項１〜請求項４のいずれかに記載の表示装置。
【請求項６】
第１、第２表示部を表面と裏面とに配したことを特徴とする請求項１〜請求項５のいずれかに記載の表示装置。
【請求項７】
第２光源の点灯を制御する制御部を第１光源の背後に配置したことを特徴とする請求項１〜請求項６のいずれかに記載の表示装置。
【請求項８】
第１、第２光源をフレキシブル基板に一体に実装したことを特徴とする請求項１〜請求項７のいずれかに記載の表示装置。
【発明の詳細な説明】
【０００１】
【発明の属する技術分野】
本発明は、マトリクス状に配列された光源を選択して点灯することによって情報を表示する表示装置に関し、特に情報の表示領域の周囲に装飾用の光源を備えた表示装置に関する。
【０００２】
【従来の技術】
図５は従来の電光掲示の看板等に用いられる表示装置を示す断面図である。表示装置２１はシャーシ７に取り付けられた回路基板６にＬＥＤ４、５が実装されている。ＬＥＤ４、５の出射面は透光性の光源カバー８により覆われている。光源カバー８はシャーシ７の外周を覆うカバー９により挟持して固定されている。
【０００３】
ＬＥＤ４は橙色光等を発光し、マトリクス状に配列されている。所望のＬＥＤ４を点灯することによって文字や絵等から成る情報を表示する。これにより、情報表示部２が構成されている。情報表示部２の周囲に配置されるＬＥＤ５は赤色光、青色光及び緑色光から成っており、情報表示部２を装飾する。これにより、装飾部３が構成され、情報表示部２の注目度を増して集客力の向上等を図るようになっている。
【０００４】
また、特許文献１には遊技機に用いられる表示装置が開示されている。この表示装置は、情報表示部２から独立して装飾部３を覆う光源カバーが設けられている。装飾部３の光源カバーにはレンズカットが施され、装飾部３の光を拡散して表示装置の注目度を増すことができるようになっている。従って、図６に示すように、電光掲示の看板等に用いる表示装置２２の装飾部３に光を拡散する光源カバー１０を独立して設けることによって情報表示部２の注目度を増す試みが成された。
【０００５】
【特許文献１】
特開２００３−２４５２２号公報（第２頁−第４頁、第４図）
【０００６】
【発明が解決しようとする課題】
しかしながら、上記従来の表示装置２２によると、光源カバー１０を設けてＬＥＤ５を覆っても充分光が拡散されず、情報表示部２の注目度を充分増すことができない問題があった。
【０００７】
本発明は、装飾部の光を充分拡散して情報表示部の注目度を増すことのできる表示装置を提供することを目的とする。
【０００８】
【課題を解決するための手段】
上記目的を達成するために本発明は、マトリクス状に配列された第１光源と第１光源を覆う第１光源カバーを有して所望の第１光源を点灯することにより情報を表示する第１表示部と、第２光源と第２光源を覆って光を拡散させる第２光源カバーとを有して第１表示部の周囲に配される第２表示部とを備え、第１光源カバーの表面と第１光源との距離よりも第２光源カバーの表面と第２光源との距離を大きくしたことを特徴としている。
【０００９】
この構成によると、第１光源はマトリクス状に配列された単色ＬＥＤ等から成り、予め決められた位置の第１光源を点灯することによって文字や絵等の情報が第１表示部に表示される。第１表示部の周囲に配される第２表示部は、ＲＧＢのＬＥＤ等から成る第２光源の出射光がダイヤカット加工等を施した第２光源カバーにより拡散され、第１表示部を装飾して第１表示部の注目度を向上させる。この時、第１光源カバーの表面と第１光源との距離が接近しており第１光源による情報を明瞭に視認することができる。また、第２光源カバーの表面と第２光源との距離が離れており、第２光源の出射光が放射状に大きく広がった後に第２光源カバーにより拡散される。これにより、第２表示部によって光が広く拡散されるようになっている。
【００１０】
また本発明は、上記構成の表示装置において、第１光源が配列された面から離れた側に第２光源を配置したことを特徴としている。この構成によると、第１光源よりも奥側に第２光源が配置され、第１、第２光源カバーの表面を略同一面にして表示装置の小型化を図ることができる。
【００１１】
第１、第２表示部は表示装置の前後の両面に設けてもよい。第２光源の点灯を制御する制御部を第１光源の背後に配置すると第２光源を第１光源の奥側に容易に配置することができる。また、第１、第２光源をフレキシブル基板に一体に実装すると、単一のフレキシブル基板によって異なる面内に第１、第２光源を配置することができる。
【００１２】
【発明の実施の形態】
以下に本発明の実施形態を図面を参照して説明する。説明の便宜上、従来例の図５、図６と同様の部分については同一の符号を付している。図１、図２、図３は一実施形態の表示装置を示す正面図、上面図及び側面図である。表示装置１は文字や絵等の情報を表示する情報表示部２（第１表示部）と、情報表示部２の周囲に配されて情報表示部２を装飾する装飾部３（第２表示部）とが前後の両面に設けられている。これにより、表示装置１は前後から情報を視認可能な電光掲示の看板や案内板等を構成する。
【００１３】
図４は図１のＡ−Ａ断面を示す断面図である。情報表示部２はネジ等によりシャーシ７に取り付けられた回路基板６にＬＥＤ４（第１光源）が実装されている。ＬＥＤ４の出射面は透光性の光源カバー８（第１光源カバー）により覆われている。ＬＥＤ４は橙色光等を発光し、マトリクス状に配列されている。所望のＬＥＤ４を点灯することによって文字や絵等から成る情報を表示することができる。
【００１４】
装飾部３はネジ等によりシャーシ７に取り付けられた回路基板１１にＬＥＤ５（第２光源）が実装されている。ＬＥＤ５は赤色光、青色光及び緑色光を発光し情報表示部２を装飾する。ＬＥＤ５は出射面にダイヤカット加工が施された透光性の光源カバー１０（第２光源カバー）により覆われている。
【００１５】
光源カバー８、１０は厚さ２〜３ｍｍ程度のアクリル等から成り、シャーシ７との間に設けたパッキン（不図示）により防水処理が施されている。光源カバー８、１０の周部はシャーシ７の外周を覆うカバー９によって挟持して固定されている。また、光源カバー８、１０の互いに対向する側は取付け金具１２によりシャーシ７に固定されている。
【００１６】
情報表示部２の回路基板６の背後にはＬＥＤ４、５の点灯を制御する制御部１３が配されている。制御部１３の制御によって予め決められたＬＥＤ４を選択的に点灯して所望の文字や絵等が表示されるとともに、赤色、青色、緑色のＬＥＤ５を種々の発光形態で点灯する。光源カバー１０はダイヤカット加工が施されているため装飾部３の出射光を拡散する。これにより、情報表示部２の注目度を増して集客力の向上等を図ることができるようになっている。
【００１７】
装飾部３の回路基板１１は情報表示部２の回路基板６よりも出射方向から見て奥側に配置されている。これにより、装飾部３のＬＥＤ５と光源カバー１０との距離Ｌ２を大きくしてＬＥＤ５の出射光を放射状に充分広げた後に光源カバー１０により拡散することができる。従って、装飾部３の出射光を更に拡散して情報表示部２の注目度をより増すことができる。また、情報表示部２のＬＥＤ４と光源カバー８との距離Ｌ１を小さくして文字や絵を明瞭に視認できる。
【００１８】
更に、光源カバー８、１０の表面を略同一面内に配することができるので装飾部３を突出させずに奥行Ｄを小さくし表示装置１の小型化を図ることができる。尚、情報表示部２の回路基板６の背後には、制御部１３を配するとともに装飾部３のＬＥＤ５よりも実装密度の高いＬＥＤ４を充分放熱させるためのスペースがシャーシ７内に形成されている。
【００１９】
また、回路基板６、１１を図中、破線で示すようにフレキシブル基板１４によって一体に形成してもよい。これにより、ＬＥＤ４、５を異なる面内に配置するとともに部品点数を削減することができる。表示装置１の表側の回路基板と裏側の回路基板とをフレキシブル基板により一体に形成してもよい。
【００２０】
本実施形態において、ＬＥＤ４、５に替えて蛍光管等の他の光源を用いてもよい。また、光源カバー１０に施されるダイヤカット加工に替えて他の処理を施して光を拡散させてもよい。
【００２１】
【発明の効果】
本発明によると、第１光源カバーの表面と第１光源との距離よりも第２光源カバーの表面と第２光源との距離を大きくしたので、第２光源の出射光を放射状に充分広げた後に第２光源カバーにより拡散することができる。従って、第２表示部の出射光を充分拡散して第１表示部の注目度を向上させることができる。
【００２２】
また本発明によると、第１光源が配列された面から奥側に離れた面内に第２光源を配置したので、第１、第２光源カバーの表面を略同一面内に配することができる。従って、第２表示部を突出させずに表示装置の小型化を図ることができる。
【００２３】
また本発明によると、第２光源の点灯を制御する制御部を第１光源の背後に配置したので、第２光源を第１光源の奥側に容易に配置することができる。
【００２４】
また本発明によると、第１、第２光源をフレキシブル基板に一体に実装したので、部品点数の削減を図ることができる。
【図面の簡単な説明】
【図１】本発明の実施形態の表示装置を示す正面図である。
【図２】本発明の実施形態の表示装置を示す上面図である。
【図３】本発明の実施形態の表示装置を示す側面図である。
【図４】図１のＡ−Ａ断面を示す断面図である。
【図５】従来の表示装置を示す断面図である。
【図６】従来の他の表示装置を示す断面図である。
【符号の説明】
１、２１、２２  表示装置
２  情報表示部
３  装飾部
４、５  ＬＥＤ
６、１１  回路基板
７  シャーシ
８、１０  光源カバー
９  カバー
１２  取付け金具
１３  制御部
１４  フレキシブル基板
【図１】
2004294687.tif 000003
【図２】
2004294687.tif 000004
【図３】
2004294687.tif 000005
【図４】
2004294687.tif 000006
【図５】
2004294687.tif 000007
【図６】
2004294687.tif 000008